(57)【特許請求の範囲】
【請求項１】
携帯用プリンタであって、
手で保持されるように適合され、印刷媒体のシートにわたって手で動かされるハウジングと、
前記ハウジング内に連結され、印刷操作モードにおいて前記ハウジングの外部にある印刷媒体のシートへ向けてインクの液滴を排出するように構成された複数のインク排出ノズルを含むプリントヘッドと、
前記プリンタが非印刷操作モードにあるときにインク排出ノズルを覆い、前記印刷操作モードでは前記ノズルから離れて動いて、インクを印刷媒体のシートへ排出するのを可能にするキャッピング領域を有するアームを含むキャッピング装置と、
前記ハウジングに装着されたホイールであって、当該ホイールによって前記ハウジングが、前記印刷操作モードで印刷媒体のシート上に乗る、前記ホイールと、
を具備し、
前記ホイールがこれにフリクションクラッチを連結しており、
前記フリクションクラッチが、前記印刷操作モードで前記ホイールの回転時に前記アームの前記キャッピング領域を弾力的に撓ませるように、前記キャッピング装置の前記アームの弾力的に変形した部分とかみ合う作動手段を含む、
携帯用プリンタ。
【請求項２】
エラストマーパッドが前記キャッピング領域に取り付けられる、請求項１に記載のプリンタ。
【請求項３】
前記作動手段が、前記フリクションクラッチから突出するくいを具備する、請求項１に記載のプリンタ。
【発明の詳細な説明】
【発明の分野】
【０００１】
下記の発明は、携帯用プリンタ技術の改良に関する。より詳細には、本発明は、プリンタの外部にある印刷媒体のシートにインクの液滴を排出するために固定されたプリントヘッドを有するハンドヘルドのドロップオンデマンドプリンタ用のキャッピング装置（蓋装置）に関するが、これに限定されるものではない。
【背景】
【０００２】
先行技術のドロップオンデマンドプリンタは、印刷媒体の供給を組み込み、印刷媒体フィード機構を使用して印刷媒体を単数または複数のプリントヘッドを通り過ぎさせ、印刷媒体に印刷を行う。我々の同時係属出願（ＡＰ４３）、発明の名称「スピードセンサ付手動可動プリンタ（Ｍａｎｕａｌｌｙ  Ｍｏｖｅａｂｌｅ  Ｐｒｉｎｔｅｒ  ｗｉｔｈ  Ｓｐｅｅｄ  Ｓｅｎｓｏｒ）」には、固定されたプリントヘッドを有する携帯用ハンドヘルドのドロップオンデマンドのインクジェットプリンタが開示されている。プリンタは、プリントヘッドのノズルがインクを排出するときにプリンタのケーシングを印刷媒体上に且つこれにわたって通らせることによって、画像をプリンタの外部にあるシートに印刷することができる。
【０００３】
プリンタを使用していない間に、キャッピング装置がプリントヘッドを周囲の大気から封止し、インクの蒸発および結果として発生するノズルの閉塞を防止する。
【０００４】
本発明は、携帯用プリンタの特定のキャッピング配列に関し、特に、同時係属出願のＡＰ４３に開示された種類の携帯用プリンタに関するが、これに限定されるものではなく、この内容はクロスリファレンスによってここに具体的に組み込まれる。
【同時係属出願】
【０００５】
本発明に関連する様々な方法、システムおよび装置は、本発明の出願人または譲受人によって本願と同時に出願された下記の同時係属出願に開示されている。
ＡＰ３９  ＡＰ４３  ＡＰ４４  ＡＰ４６  ＡＰ４７  ＡＰ４８
ＡＰ４９  ＡＰ５０  ＡＰ５１  ＡＰ５２  ＡＰ５３  ＡＰ５５
ＡＰ５８  ＡＰ６０  ＡＰ６１  ＡＰ６２  ＡＰ６３  ＡＰ６４
ＡＰ６５  ＡＰ６６  ＡＰ６７  ＡＰ６８  ＡＰ６９  ＡＰ７０
ＡＰ７１  ＡＰ７７  ＡＰ７８  ＡＰ７９
これらの同時係属出願の開示は、クロスリファレンスによってここに組み込まれる。各出願は、一時的に、この出願リファレンスによって識別される。これは、対応するＰＣＴ出願番号が利用可能になったときにはこれに取って代わられる。
【０００６】
［関連特許出願および特許］
US6,227,652   US6,213,588   US6,213,589   US6,231,163
US6,247,795   US6,394,581   US6,244,691   US6,257,704
US6,416,168   US6,220,694   US6,257,705   US6,247,794
US6,234,610   US6,247,793   US6,264,306   US6,241,342
US6,247,792   US6,264,307   US6,254,220   US6,234,611
US6,302,528   US6,283,582   US6,239,821   US6,338,547
US6,247,796   US09/113,122  US6,390,603   US6,362,843
US6,293,653   US6,312,107   US6,227,653   US6,234,609
US6,238,040   US6,188,415   US6,227,654   US6,209,989
US6,247,791   US6,336,710   US6,217,153   US6,416,167
US6,243,113   US6,283,581   US6,247,790   US6,260,953
US6,267,469   US6,273,544   US6,309,048   US6,420,196
US6,443,558   US09/422,892  US6,378,989   US09/425,420
US09/422,893  US09/609,140  US6,409,323   US6,281,912
US09/575,113  US6,318,920   US6,488,422   US09/693,644
US6,457,810   US6,485,135   US09/112,763  US6,331,946
US6,246,970   US6,442,525   US09/505,951  US09/505,147
US09/505,952  US09/575,108  US09/575,109  US09/575,110
US09/607,985  US6,398,332   US6,394,573   US09/606,999 
US6,238,044   US6,425,661   US6,390,605   US6,322,195
US09/504,221  US6,480,089   US6,460,778   US6,305,788
US6,426,014   US6,364,453   US6,457,795   US09/556,219
US09/556,218  US6,315,399   US6,338,548   US09/575,190
US6,328,431   US6,328,425   US09/575,127  US6,383,833
US6,464,332   US6,390,591   US09/575,152  US6,328,417
US6,322,194   US09/575,177  US09/575,175  US6,417,757
US09/608,780  US6,428,139   US09/607,498  US09/693,079
US09/693,135  US6,428,142   US09/692,813  US09/693,319
US09/693,311  US6,439,908   US09/693,735  PCT/AU98/00550
PCT/AU00/00516  PCT/AU00/00517  PCT/AU00/00511  PCT/AU00/00754
PCT/AU00/00755  PCT/AU00/00756  PCT/AU00/00757  PCT/AU00/00095
PCT/AU00/00172  PCT/AU00/00338  PCT/AU00/00339  PCT/AU00/00340
PCT/AU00/00341  PCT/AU00/00581  PCT/AU00/00580  PCT/AU00/00582
PCT/AU00/00587  PCT/AU00/00588  PCT/AU00/00589  PCT/AU00/00583
PCT/AU00/00593  PCT/AU00/00590  PCT/AU00/00591  PCT/AU00/00592
PCT/AU00/00584  PCT/AU00/00585  PCT/AU00/00586  PCT/AU00/00749
PCT/AU00/00750  PCT/AU00/00751  PCT/AU00/00752  PCT/AU01/01332
PCT/AU01/01318  PCT/AU00/01513  PCT/AU00/01514  PCT/AU00/01515
PCT/AU00/01516  PCT/AU00/01517  PCT/AU00/01512  PCT/AU01/00502
PCT/AU02/01120  PCT/AU00/00333  PCT/AU01/00141  PCT/AU01/00139
PCT/AU01/00140  PCT/AU00/00753  PCT/AU01/01321  PCT/AU01/01322
PCT/AU01/01323  PCT/AU00/00594  PCT/AU00/00595  PCT/AU00/00596
PCT/AU00/00597  PCT/AU00/00598  PCT/AU00/00741  PCT/AU00/00742
【発明の開示】
【０００７】
本願には、携帯用プリンタが開示され、
かかる携帯用プリンタは、
ハウジングと、
ハウジング内に連結され、印刷操作モードにおいてハウジングの外部にある印刷媒体のシートへ向けてインクの液滴を排出するように構成された複数のインク排出ノズルを含むプリントヘッドと、
プリンタが非印刷操作モードにあるときにインク排出ノズルを覆い、上記印刷操作モードではノズルから離れて動いて、インクを印刷媒体のシートへ排出するのを可能にするキャッピング領域を有するアームを含むキャッピング装置と、
ハウジングに装着されたホイールであって、当該ホイールによってハウジングが、印刷操作モードで印刷媒体のシート上に乗る、上記ホイールと、
を具備し、
ホイールがこれにフリクションクラッチを連結しており、
フリクションクラッチが、印刷操作モードでホイールの回転時にアームのキャッピング領域を弾力的に撓ませるように、キャッピング装置のアームの弾力的に変形した部分とかみ合う作動手段を含む、ものである。
【００１０】
好ましくは、エラストマーパッドがキャッピング領域に取り付けられる。
【００１４】
好ましくは、上記作動手段は、フリクションクラッチから突出するくいを具備することができる。
【００１５】
この代替例において、アームは、逸脱を含む弾性的に変形可能な材料から形成されることができ、くいが逸脱に対接する。
【００２０】
本発明の好ましい形態は、添付の図面を参照して例としてのみ説明される。
【好ましい実施形態の説明】
【００２１】
添付の図面において、携帯用プリンタ用の多数の異なるキャッピング構成が概略的に示されている。携帯用プリンタは、プリンタが手に持たれて印刷媒体のシートを横切って動かされるときに、印刷媒体のシートにインクの液滴を排出するように意図される。本願に開示されたキャッピング装置が適用可能な携帯用プリンタのプリントヘッドおよび関連ハードウェアの典型的な内部構成は、上記クロスリファレンスの同時係属出願、発明の名称「スピードセンサ付手動可動プリンタ」（ＡＰ４３）に開示されている。
【００２２】
添付の図面の図１および図２において、固定されたプリントヘッド１１が中に位置するプリンタハウジング１０が断面図で概略的に示される。プリントヘッド１１は、この完全幅、すなわち、印刷されるべき画像の幅にわたって延在するプリントチップ１２を有する。金属であってもよくまたはプラスチック等の他の材料から形成されてもよいキャッパーアーム１３の第１の実施形態は、１４でプリンタハウジング１０に旋回式に装着される。キャッパーアーム１３は、ハウジング１０の外部にあり、図１に示されたようなキャップされた構成にチップ１２に対して封止するエラストマーパッド１６が接着されるレッグ２８を含む。エラストマーパッド１６は、レッグ２８によってプリントチップ１２から離れて動き、図２に示されたような構成で印刷するのを可能にする。
【００２３】
キャッパーアーム１３は、作動領域１５を含み、これに対して、図２に示される矢印Ｆによって示されるように、指の力を加えることができる。このような指の力を加えられると、キャッパーアーム１３をピボット１４を中心にして旋回する。ばね（図示せず）は、キャッパーアームを図１に示される位置へ戻すことができる。
【００２４】
キャッピング装置の第２の実施形態が図３および図４に示される。この実施形態において、キャッパーアーム１３は、弾力性があり、弾性的に変形可能な材料、例えば金属またはプラスチックから形成される。特に好ましい実施形態において、キャッパーアーム１３は、ステンレス鋼から形成される。キャッパーアーム１３は、１７でプリンタハウジング１０にこの一方の端で固定される。支点１４（概略的に示される）は、キャッパーアーム１３のレッグ２９への転移と並んで存在する。
【００２５】
図４に示されるように指の力Ｆが加えられるときに、キャッパーアーム１３は変形し、結果として、印刷目的のためにエラストマーパッド１６をプリントチップ１２から離して引くようにレッグ２９が図４に示された位置に動くことになる。指の力Ｆが解放されるときには、キャッパーの弾力性がこれを図３に示された構成に戻し、エラストマーパッド１６はプリントチップ１２に対して封止する。
【００２６】
図１〜図４に示されたキャッピング装置の第１および第２の実施形態において、ユーザはプリンタハウジング１０を把持し、そうしながら、本質的に力Ｆをキャッパーアーム１３の作動領域１５に加える。プリンタハウジング内にスイッチが設けられてもよく、指の力Ｆが加えられるとスイッチを押してプリントヘッド１１を印刷操作モードに設定するように、キャッパーアーム１３に連結されてもよい。
【００２７】
添付の図面の図５〜図７には、フリクションクラッチを組み込むキャッピング装置の第３の実施形態が概略的に示される。この実施形態において、プリンタハウジング１０は、１つ以上のホイール１８を装着しており、クロスリファレンス出願ＡＰ４３、発明の名称「スピードセンサ付手動可動プリンタ」に記載されているように、少なくともこの１つには光センサを連結することができる。ホイールの１つは、すなわち、この例ではホイール１８が、これにフリクションクラッチ１９を連結することができる。ホイール１８およびクラッチ１９は、共通シャフト（図７）に装着されることができ、何かがクラッチ１９のスピンを停止するまでホイール１８の回転がクラッチ１９を回転させるように、互いに対して偏倚され、そこでホイール１８は、これと非回転クラッチ１９との間の動的摩擦係合で回転し続ける。示された実施形態において、フリクションクラッチ１９は、これから側方向に延在するくい２０を有する。くい２０は、キャッパーアーム１３の逸脱した部分２１の後ろで受け取られる。この実施形態において、部分２９が線状に動くように、すなわち、直線を動くようにガイドされるように、キャパーアーム１３は、プリンタハウジング１０内に取り付けられる。フリクションクラッチ１９の回転時に、くい２０は、キャッパーアーム１３の逸脱した部分２１に対接して、これを矢印Ｃによって示される方向に動かす（図６）。これは、今度は、エラストマーパッド１６をチップ１２から離して引く。この点で、ホイール１８は、印刷媒体２２上に乗っており、ホイールを、図６の矢印Ｗによって示される方向に回転させる。プリンタハウジング１０が印刷媒体２２から離れて揚げられるときに、回転Ｗは消滅し、そこで、キャッパーアーム１３の弾力性が、くい２０を図５に示された位置に押し戻し、同時にエラストマーパッド１６を戻して図５に示されるようにプリントチップ１２を封止する。
【００２８】
図８および図９に示されるキャッピング装置の第４の実施形態において、偏心カム２３を含む内部駆動カムシャフト２４が設けられる。カムシャフト２４は、例えば電気モータによって、選択的に回転されてもよい。この実施形態において、キャッパーアーム１３はピボット１４に装着され、一体化ばね２５によって偏心カム２３に対して偏倚される。すなわち、一体化ばね２５は、キャッパーアーム１３のレッグ部分２８を図８に示された位置へ偏倚し、そこでエラストマーパッド１６がチップ１２上を封止する。偏心カムが図９に示された位置内に回転するようにカムシャフト２４が回転されるときに、キャッパーアーム１３は一体化ばね２５を変形し、一方、エラストマーパッド１６はプリントチップ１２から離れて動く。
【００２９】
添付の図面の図１０および図１１において、キャッピング装置の第５の実施形態が示されており、キャッパーアーム１３は、内部ソレノイド２６によって作動される。この実施形態において、キャパーアーム１３は、図１０および図１１に示される位置の間を線状に摺動する。キャッパーアーム１３は、ソレノイド２６に対接する一体化ばね２５を含む。代替として、ばね２５は、プリンタハウジング１０の他の固定された内部構造物に対接することができる。キャッパーアーム１３に取り付けられるのは、これとの磁気相互作用によってソレノイド２６に取り付けられるべき金属プレート２７である。電流をソレノイド２６に加えると、金属プレート２７をこれへ引く磁界が形成される。これは、今度は、キャッパー１３をキャップされていない位置へ引き、エラストマーパッド１６はプリントチップ１２から離れて動いており、印刷が開始するのを可能にする。
【００３０】
ソレノイドがもはや電流を受け取らないときには、この磁界は減少するかまたは消滅し、ばね２８がキャッパーアーム１３を図１０に示されたキャップされた位置へ戻すのを可能にする。
【００３１】
当業者に明らかな修正例および変形例は、本発明の範囲を超えるとみなされるべきではないと認識されるべきである。例えば、エラストマーパッドは、キャッパーアーム自体に連結される必要はない。代わりに、プリントチップ１２を囲繞しキャッパーアーム１３のレッグ２８の滑らかな表面に封止接触するように、プリントヘッド１１に取り付けられてもよい。
【図面の簡単な説明】
【００３２】
【図１】キャップされた位置にある第１のキャッピング装置を示す携帯用プリンタの概略断面端立面図である。
【図２】キャップされていない位置に示された第１のキャッピング装置を備えた図１の携帯用プリンタの概略断面端立面図である。
【図３】キャップされた位置にある第２の種類のキャッピング装置を有する携帯用プリンタの概略断面端立面図である。
【図４】キャップされていない位置にある第２のキャッピング装置を備えた図３のプリンタの概略断面端立面図である。
【図５】キャップされた位置にある第３の種類のキャッピング装置を有する別のプリンタの一部の概略断面端立面図である。
【図６】キャップされていない位置にある第３のキャッピング装置を備えた図５のプリンタの一部の概略断面端立面図である。
【図７】図５および図６の実施形態に使用されるフリクションクラッチの概略前立面図である。
【図８】キャップされた位置にある第４の種類のキャッピング装置を有するプリンタの一部の概略断面端立面図である。
【図９】キャップされていない構成に示された第４のキャッピング装置を備えた図８のプリンタの一部の概略断面端立面図である。
【図１０】キャップされた構成にある第５の種類のキャッピング装置を有するプリンタの一部の概略断面端立面図である。
【図１１】キャップされていない構成に示された第５のキャッピング装置を備えた図１０のプリンタの一部の概略断面端立面図である。
【図１】
0004204478.tif 000002
【図２】
0004204478.tif 000003
【図３】
0004204478.tif 000004
【図４】
0004204478.tif 000005
【図５】
0004204478.tif 000006
【図６】
0004204478.tif 000007
【図７】
0004204478.tif 000008
【図８】
0004204478.tif 000009
【図９】
0004204478.tif 000010
【図１０】
0004204478.tif 000011
【図１１】
0004204478.tif 000012